(57)【要約】【課題】筒部の内周面に形成された段差が別の筒部の溝部に落ち込むことによる、ユーザによる操作に違和感が生じたり、筒部に摩耗が生じたりする。【解決手段】鏡筒は、第一のカムフォロアを有する第一筒と、光軸周りに回転可能であり、第一のカムフォロアとの干渉を避ける溝部が形成され且つ第二のカムフォロアを有する第二筒と、第一のカムフォロアが係合する直進溝及び第二のカムフォロアが係合するカム溝が形成されており、第二筒が回転操作されることにより該第二筒に対して光軸方向にのみ移動する第三筒とを備えており、第三筒の内周面に形成された段差が溝部に落ち込むことを防止する落込防止部材が第二筒と第三筒との間の少なくとも一部に配置されている。【選択図】図１
2018116120.tif 000002
【特許請求の範囲】
【請求項１】
第一のカムフォロアを有する第一筒と、
光軸周りに回転可能であり、前記第一のカムフォロアとの干渉を避ける溝部が形成され且つ第二のカムフォロアを有する第二筒と、
前記第一のカムフォロアが係合する直進溝及び前記第二のカムフォロアが係合するカム溝が形成されており、前記第二筒が回転操作されることにより該第二筒に対して光軸方向にのみ移動する第三筒と、
を備え、
前記第三筒の内周面に形成された段差が前記溝部に落ち込むことを防止する落込防止部材が前記第二筒と該第三筒との間の少なくとも一部に配置されている、
鏡筒。
【請求項２】
前記落込防止部材は、
前記第二筒と前記第三筒との間に介在された薄肉部材である、
請求項１に記載の鏡筒。
【請求項３】
前記薄肉部材は、
前記溝部の略全体を覆う円筒状部材である、
請求項２に記載の鏡筒。
【請求項４】
前記落込防止部材は、
前記溝部に落ち込む直前の前記段差を受ける段差受部材である、
請求項１に記載の鏡筒。
【請求項５】
前記第一のカムフォロアは、
前記直進溝と係合する先端軸部と、
前記溝部内に配置されており、前記先端軸部よりも径が太い中間軸部と、
を有し、
前記段差受部材は、
前記中間軸部であり、
前記先端軸部と前記中間軸部との段差面である受面により、前記第三筒の内周面に形成された段差を受ける、
請求項４に記載の鏡筒。
【請求項６】
前記第三筒は、
前記光軸を含む側断面において鋸刃形状を持つ遮光溝が前記内周面の一部領域に形成されており、
前記内周面に形成された段差は、
前記遮光溝が形成された領域と該遮光溝が形成されていない領域との境界に位置する、
請求項１から請求項５の何れか一項に記載の鏡筒。
【請求項７】
請求項１から請求項６の何れか一項に記載の鏡筒
を備える、
撮影装置。
【発明の詳細な説明】
【技術分野】
【０００１】
本発明は、鏡筒に関するものである。
【背景技術】
【０００２】
デジタルカメラ等の撮影装置には撮影レンズを保持する鏡筒が備えられている。この種の鏡筒の具体的構成が例えば特許文献１に記載されている。
【０００３】
特許文献１に記載の鏡筒は、固定筒及びその外側に操作環を備えている。操作環の内周面には凹溝が形成されている。固定筒にはバネ部材が凹溝に対向する位置に設けられている。凹溝とバネ部材とが接触した状態では、バネ部材から凹溝に対して操作環の半径方向外側に向かう付勢力が付与される。固定筒に対する操作環の回転位置に応じて付勢力が変化するように凹溝及びバネ部材が形成されていることにより、ユーザが操作環をほぼ一定の操作トルクで操作できるようになっている。
【先行技術文献】
【特許文献】
【０００４】
【特許文献１】特開２０１６−４８４０３号公報
【発明の概要】
【発明が解決しようとする課題】
【０００５】
特許文献１に例示される固定筒や操作環等の筒部には、一般に、筒部内での光の反射を抑制するため、遮光溝がその内周面に形成されている。この種の筒部には、遮光溝が形成された領域と遮光溝が形成されていない領域との境界に段差が形成されている。
【０００６】
ここで、例えば、ある筒部（便宜上「第一筒部」と記す。）が別の筒部（便宜上「第二筒部」と記す。）に対して光軸方向に進退する構成の鏡筒を考える。この構成において、第一筒部が第二筒部に対して光軸方向に進退し、第一筒部の内周面に形成された段差が第二筒部に形成された溝部（例えばカムフォロアを逃げる逃げ溝等）に差し掛かると、当該段差が第一筒部の自重によって溝部に落ち込む。当該段差が溝部に落ち込むことにより、ユーザが鏡筒の操作に違和感を覚えることがあり、また、第一筒部の内周面と第二筒部の外周面とが擦れて摩耗してしまう。
【０００７】
本発明は上記の事情に鑑みてなされたものであり、その目的とするところは、筒部の内周面に形成された段差が別の筒部の溝部に落ち込むことによる操作の違和感及び筒部の摩耗を抑えるのに好適な鏡筒を提供することである。
【課題を解決するための手段】
【０００８】
本発明の一実施形態に係る鏡筒は、第一のカムフォロアを有する第一筒と、光軸周りに回転可能であり、第一のカムフォロアとの干渉を避ける溝部が形成され且つ第二のカムフォロアを有する第二筒と、第一のカムフォロアが係合する直進溝及び第二のカムフォロアが係合するカム溝が形成されており、第二筒が回転操作されることにより該第二筒に対して光軸方向にのみ移動する第三筒とを備えており、第三筒の内周面に形成された段差が溝部に落ち込むことを防止する落込防止部材が第二筒と第三筒との間の少なくとも一部に配置されている。
【発明の効果】
【０００９】
本発明の一実施形態によれば、筒部の内周面に形成された段差が別の筒部の溝部に落ち込むことによる操作の違和感及び筒部の摩耗を抑えるのに好適な鏡筒が提供される。
【図面の簡単な説明】
【００１０】
【図１】本発明の一実施形態に係る鏡筒の構成を示す図である。
【図２】本発明の別の一実施形態に係る鏡筒の構成を示す図である。
【図３】図２に示される鏡筒の変形例を示す図である。
【図４】本発明の別の一実施形態に係る鏡筒の構成を示す図である。
【発明を実施するための形態】
【００１１】
以下、本発明の実施形態について図面を参照しながら説明する。
【００１２】
図１は、本発明の一実施形態に係る鏡筒１の構成を示す図である。本実施形態に係る鏡筒１は、撮影装置の一形態であるデジタル一眼レフカメラ用の鏡筒である。鏡筒１は、デジタル一眼レフカメラ用鏡筒に限らず、ミラーレス一眼カメラ、コンパクトデジタルカメラ、ビデオカメラ、カムコーダ、デスクトップＰＣ、ノートＰＣ、タブレット端末、ＰＨＳ（Personal Handy phone System）、スマートフォン、フィーチャフォン、ゲーム機等の、他の撮影装置の鏡筒であってもよい。
【００１３】
図１（ａ）は、本実施形態に係る鏡筒１の構成を一部断面にして示す図である。図１（ａ）に示されるように、鏡筒１は、レンズＬ１及びＬ２を含む撮影レンズＬを保持するズーム鏡筒である。
【００１４】
鏡筒１は、撮影レンズＬの光軸中心に配置された３つの円環状部材を備えている。３つの円環状部材は、具体的には、円環状の固定環（第一筒）１０、操作環（第二筒）２０及び直進環（第三筒）３０である。
【００１５】
固定環１０は、レンズＬ１を保持している。固定環１０には、複数のネジ孔部１１が周方向に所定のピッチで形成されている。各ネジ孔部１１には、直進用カムフォロア（第一のカムフォロア）１２がねじ締めされて固定されている。
【００１６】
操作環２０は、ユーザによって回転方向に操作されると、固定環１０の外周面を摺動して光軸周り方向に回転する。操作環２０には、複数のネジ孔部２１が周方向に所定のピッチで形成されている。各ネジ孔部２１には、回転用カムフォロア（第二のカムフォロア）２２がねじ締めされて固定されている。
【００１７】
直進用カムフォロア１２及び回転用カムフォロア２２は、樹脂による一体成型品であってもよく、また、金属部材で構成されてもよい。また、直進用カムフォロア１２及び回転用カムフォロア２２は、２部品（軸（ネジ）とローラ）で構成されたものであってもよい。
【００１８】
直進環３０は、レンズＬ２を保持している。直進環３０には、直進溝３１及びカム溝３２が形成されている。直進溝３１は、光軸方向に延びており、直進用カムフォロア１２が係合する。カム溝３２は、光軸方向に対して湾曲した形状を持ち、回転用カムフォロア２２が係合する。
【００１９】
ユーザにより固定環１０に対して操作環２０が回転操作されると、カム溝３２内において、操作環２０に取り付けられている回転用カムフォロア２２が光軸周り方向に移動する。回転用カムフォロア２２が直進環３０に形成されたカム溝３２内を移動することにより、操作環２０の回転運動が直進環３０に伝達される。但し、直進環３０は、固定環１０に取り付けられている直進用カムフォロア１２と直進溝３１との係合により、光軸周り方向の移動が規制されている。そのため、直進環３０は、操作環２０の回転量及び回転方向に応じ、固定環１０及び操作環２０に対して光軸方向にのみ移動する。
【００２０】
固定環１０の先端近傍の内周面にメネジ部１３が形成されている。メネジ部１３には、スラスト押え環５０のオネジ部５１が締め込まれる。オネジ部５１が締め込まれることにより、スラスト押え環５０のフランジ部５２が固定環１０及び操作環２０の各先端面に当接する。これにより、固定環１０と操作環２０とのスラスト方向の位置ずれが抑えられる。
【００２１】
直進用カムフォロア１２が取り付けられている固定環１０と、直進用カムフォロア１２が係合されるカム溝３２が形成されている直進環３０との間には、操作環２０が介在している。そのため、操作環２０には、直進用カムフォロア１２との干渉を避ける溝部（逃げ溝）２３が、対応する直進用カムフォロア１２毎に形成されている。
【００２２】
図１（ｂ）及び図１（ｃ）は、図１（ａ）の矢印Ａ方向から見たときの鏡筒１の一部を平面に展開して示した側面図である。なお、図１（ｂ）では、説明の便宜上、後述する落込防止部材４０を省いて示している。また、図１（ｂ）及び図１（ｃ）においては、落込防止部材４０と操作環２０に形成された逃げ溝２３との関係を明瞭にする都合上、操作環２０と落込防止部材４０の２部品にだけハッチングを付けて示している。
【００２３】
直進用カムフォロア１２は、固定環１０上で位置が固定されている。そのため、ユーザにより固定環１０に対して操作環２０が回転操作されると、直進用カムフォロア１２は、操作環２０に対して光軸周り方向に移動することになる。逃げ溝２３は、光軸周り方向に相対移動する直進用カムフォロア１２との干渉を避けるべく、図１（ｂ）に示されるように、光軸周り方向に長い長孔形状を持っている。
【００２４】
例えば、直進用カムフォロア１２が固定環１０に１２０°ピッチで計３つ取り付けられている場合、各逃げ溝２３も同じく１２０°ピッチで形成される。逃げ溝２３の一つ一つは、操作環２０に対する直進用カムフォロア１２の最大移動角度範囲を超える長さを有する必要がある。例示的には、逃げ溝２３は、光軸周り方向に９０°の角度範囲に亘る長さを有している。このように、逃げ溝２３は、光軸周り方向に広い角度範囲に亘って形成されている。
【００２５】
図１（ａ）に示されるように、直進環３０の内周面のうち符号Ｒ１で示される部分の全周に亘る領域（以下、「領域Ｒ１」と記す。）には、光軸を含む側断面において鋸刃形状を持つ遮光溝３３が形成されている。補足すると、遮光溝３３は、直進環３０の内周面のうちの特定領域（直進環３０を最も繰り出したときに他の環（固定環１０と操作環２０）に重ならない領域）のほぼ全てに亘って形成されている。遮光溝３３が形成されていることにより、鏡筒１内の内面反射が抑制される。
【００２６】
直進環３０の内周面には、遮光溝３３が形成されている領域Ｒ１と遮光溝３３が形成されていない領域Ｒ２（直進環３０の内周面のうち符号Ｒ２で示される部分の全周に亘る領域）との境界に段差３４が形成されている。段差３４が形成されることにより、直進環３０の進退時における遮光溝３３と操作環２０の外周面との擦れが避けられる。
【００２７】
ここで、本実施形態では、上述したように、直進環３０の内周側に位置する操作環２０に、逃げ溝２３が光軸周り方向に広い角度範囲に亘って形成されている。そのため、直進環３０が後方に繰り下げられて段差３４が逃げ溝２３に差し掛かったとき、段差３４が直進環３０の自重によって逃げ溝２３に落ち込むことが懸念される。
【００２８】
そこで、本実施形態では、操作環２０と直進環３０との間に落込防止部材４０が介在されている。具体的には、逃げ溝２３の周囲を含む操作環２０の外周面の一部に凹部２４が形成されている。凹部２４には、薄肉（詳細には、凹部２４の深さと略同じ厚み）の円筒状部材である落込防止部材４０が凹部２４全体（及び逃げ溝２３の略全体）を覆うように凹部２４に嵌め込まれている。なお、落込防止部材４０は、完全な円筒形状ではなく、直進用カムフォロア１２との干渉を避けるための逃げ孔４１が形成されている。逃げ孔４１は、直進用カムフォロア１２よりも極僅かに径の大きい丸孔である。
【００２９】
逃げ溝２３は、落込防止部材４０により、直進用カムフォロア１２と逃げ孔４１との極僅かな隙間を除く全体が覆われている。直進環３０が後方に繰り下げられて段差３４が逃げ溝２３に差し掛かる位置に達した時にも、逃げ溝２３の略全体が落込防止部材４０によって覆われているため、段差３４が逃げ溝２３に落ち込むことがない。そのため、段差３４が逃げ溝２３に落ち込むことによる操作の違和感が生じない。
【００３０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００３１】
図２は、本発明の別の一実施形態に係る鏡筒１’の構成を示す図である。なお、以降の図面においては、符号の図示を適宜省略している。
【００３２】
図２に示されるように、別の一実施形態に係る鏡筒１’では、落込防止部材４０に相当する部分とスラスト押え環５０に相当する部分とが一体に形成されている。以下、この一体形成品を便宜上「一体形成部材６０」と記す。この場合、部品点数の削減だけでなく、スラスト押え環５０に相当する部分が固定環１０のメネジ部１３に締結されているため、落込防止部材４０に相当する部分が空転するという状況が避けられる。
【００３３】
図３は、図２に示される鏡筒１’の変形例（鏡筒１Ｍ’）の構成を示す図である。鏡筒１Ｍ’では、落込防止部材４０とスラスト押え環５０（但し、フランジ部５２に相当する部分のみ）とが一体に形成されている。以下、この一体形成品を便宜上「一体形成部材６０Ｍ」と記す。
【００３４】
一体形成品６０Ｍは、オネジ部５１に代えて、スラスト止めネジ５３により、固定環１０に取り付けられている。本変形例では、一体形成部材６０Ｍが一体形成部材６０と比べて簡素な形状であり且つスラスト止めネジ５３が汎用品であることから、効果的なコスト削減が見込まれる。また、一体形成品６０Ｍ自体を固定環１０に対して回転させて締め込む構成でなく、スラスト止めネジ５３によってねじ締めする構成であることから、固定環１０に対する一体形成品６０Ｍの組み込み位相が管理し易いというメリットがある。
【００３５】
図４は、本発明の更に別の一実施形態に係る鏡筒１”の構成を示す図である。図４（ａ）は、鏡筒１”の構成を一部断面にして示す図である。図４（ｂ）は、図４（ａ）の矢印Ｂ方向から見たときの鏡筒１”の一部を平面に展開して示した側面図である。
【００３６】
図４に示されるように、鏡筒１”には落込防止部材４０が備えられていない。その代替として、直進用カムフォロア１２”が特殊な形状を有している。
【００３７】
具体的には、直進用カムフォロア１２”は、先端軸部１２Ａ、中間軸部１２Ｂ及び嵌合軸部１２Ｃを有する構成となっている。先端軸部１２Ａは、直進溝３１の幅と同じ径を有しており、直進溝３１と係合する。中間軸部１２Ｂは、先端軸部１２Ａよりも径が太く、逃げ溝２３内に配置されている。より詳細には、中間軸部１２Ｂは、先端軸部１２Ａよりも太径の軸部の両側面を逃げ溝２３の幅に合わせてカットした形状（小判形状）を持っている。中間軸部１２Ｂは、ベースとなる径及びカット後の幅（逃げ溝２３と等しい幅）が何れも直進溝３１の幅よりも大きい。嵌合軸部１２Ｃは、固定環１０のネジ孔部１１にねじ締めされて固定されている。これにより、直進用カムフォロア１２”が固定環１０に固定されている。
【００３８】
直進用カムフォロア１２”は、例えば、２部品（軸部（ネジ）とＤカット部）で構成されている。この場合、例えば、軸部（主に、嵌合軸部１２Ｃ）がネジ孔部１１にねじ締めされ、次いで、軸部にＤカット部（中間軸部１２Ｂ）が逃げ溝２３内に嵌め込まれる。軸部とＤカット部とを別部品とする構成を採用することにより、中間軸部１２Ｂを逃げ溝２３内に簡単に嵌め込むことができる。
【００３９】
但し、直進用カムフォロアは、一部品で構成されてもよい。図４（ｅ）に、変形例に係る直進用カムフォロア１２Ｍ”周りの断面図を示す。本変形例において、嵌合軸部１２Ｃには、ネジ溝が形成されていない。本変形例では、Ｄカット部（中間軸部１２Ｂ）が逃げ溝２３内に嵌め込まれた上で、嵌合軸部１２Ｃが固定環１０にカシメ固定される。本変形例では、部品点数削減の効果が得られる。
【００４０】
直進用カムフォロア１２”は、先端軸部１２Ａと中間軸部１２Ｂとの段差面である受面１２Ｄを有している。図４（ｃ）は、受面１２Ｄ周辺を拡大して示す拡大図である。
【００４１】
図４（ｃ）に示されるように、受面１２Ｄは、直進環３０の内周面（言い換えると、操作環２０の外周面）と略同じ高さに位置する平面となっている。そのため、受面１２Ｄは、直進環３０が後方に繰り下げられて段差３４が逃げ溝２３に差し掛かると、逃げ溝２３に落ち込む直前の段差３４を受ける。これにより、段差３４が逃げ溝２３に落ち込むことによる操作の違和感が生じない。
【００４２】
図４（ｄ）は、受面１２Ｄの変形例を示す拡大図である。図４（ｄ）に示されるように、変形例に係る受面１２Ｄは、直進環３０の内周面（言い換えると、操作環２０の外周面）に沿った曲面となっている。そのため、変形例に係る受面１２Ｄは、直進環３０が後方に繰り下げられて段差３４が逃げ溝２３に差し掛かると、逃げ溝２３に落ち込む直前の段差３４を面全体（受面１２Ｄの全体）で受ける。段差３４を面全体で受けることにより、より一層、段差３４が逃げ溝２３に落ち込むことによる操作の違和感が生じない。
【００４３】
図４の例によれば、中間軸部１２Ｂのカット形状は成形加工でなく切削加工で対応できるため、小ロット生産にも適している。また、落込防止部材４０が不要になることによる部品点数の削減が達成される。
【符号の説明】
【００４４】
１  鏡筒
１０  固定環
１１  ネジ孔部
１２  直進用カムフォロア
１３  メネジ部
２０  操作環
２１  ネジ孔部
２２  回転用カムフォロア
２３  逃げ溝
２４  凹部
３０  直進環
３１  直進溝
３２  カム溝
３３  遮光溝
３４  段差
４０  落込防止部材
４１  逃げ孔
５０  スラスト押え環
５１  オネジ部
５２  フランジ部
Ｌ  撮影レンズ
Ｌ１、Ｌ２  レンズ
【図１】
2018116120.tif 000003
【図２】
2018116120.tif 000004
【図３】
2018116120.tif 000005
【図４】
2018116120.tif 000006